(57)【要約】【課題】      複数の誘導性負荷をＰＷＭ駆動信号により同時に駆動する場合に、ＰＷＭ駆動信号により発生するノイズを低減した誘導性負荷駆動装置を提供する。【解決手段】電源に接続された２つの誘導性負荷２０Ａ、２０Ｂにそれぞれ直列に接続されるとともにパルス幅変調信号によりオンオフが制御され、オン状態で２つの誘導性負荷２０Ａ、２０Ｂを通電させる２つのスイッチング素子１５Ａ、１５Ｂと、パルス幅変調信号を出力しスイッチング素子１５Ａ、１５Ｂのオンオフを制御する制御装置３０とを備え、２つのパルス幅変調信号は、一方のパルス幅変調信号の１パルスの立ち上がり終了時点と立ち下り開始時点との間で他方のパルス幅変調信号の１パルスの立ち上がりが開始するとともに、一方のパルス幅変調信号の１パルスの立ち下り開始時点から立ち下り終了時点までの時間と他方のパルス幅変調信号の１パルスの立ち下り開始時点から立ち下り終了時点までの時間が重ならない。【選択図】      図１
2006303992.tif 000002
【特許請求の範囲】
【請求項１】
電源に接続された２つの誘導性負荷と、
前記２つの誘導性負荷にそれぞれ直列に接続されるとともに、外部から受け取ったパルス幅変調信号によりオンオフが制御され、オン状態で前記２つの誘導性負荷をそれぞれ通電させる２つのスイッチング素子と、
前記２つのスイッチング素子にそれぞれパルス幅変調信号を出力し、該２つのスイッチング素子のオンオフをそれぞれ制御する制御装置とを備えた誘導性負荷駆動装置であって、  
前記パルス幅変調信号は、一方のスイッチング素子に出力されるパルス幅変調信号の１パルスの立ち上がり終了時点と立ち下り開始時点との間で他方のスイッチング素子に出力されるパルス幅変調信号の１パルスの立ち上がりが開始するとともに、前記一方のスイッチング素子に出力されるパルス幅変調信号の前記１パルスの立ち下り開始時点から立ち下り終了時点までの時間と前記他方のスイッチング素子に出力されるパルス幅変調信号の前記１パルスの立ち下り開始時点から立ち下り終了時点までの時間が重ならないことを特徴とする誘導性負荷駆動装置。
【請求項２】
電源に接続された２つの誘導性負荷と、
前記２つの誘導性負荷にそれぞれ直列に接続されるとともに、外部から受け取ったパルス幅変調信号によりオンオフが制御され、オン状態で前記２つの誘導性負荷をそれぞれ通電させる２つのスイッチング素子と、
前記２つのスイッチング素子にそれぞれパルス幅変調信号を出力し、該２つのスイッチング素子のオンオフをそれぞれ制御する制御装置とを備えた誘導性負荷駆動装置であって、  
前記パルス幅変調信号は、一方のスイッチング素子に出力されるパルス幅変調信号の１パルスの立ち上がり終了時点で他方のスイッチング素子に出力されるパルス幅変調信号の１パルスの立ち上がりが開始するとともに、前記一方のスイッチング素子に出力されるパルス幅変調信号の前記１パルスの立ち下がり終了時点で前記他方のスイッチング素子に出力されるパルス幅変調信号の前記１パルスの立ち下がりが開始することを特徴とする誘導性負荷駆動装置。
【請求項３】
電源に接続された２つの誘導性負荷と、
前記２つの誘導性負荷にそれぞれ直列に接続されるとともに、外部から受け取ったパルス幅変調信号によりオンオフが制御され、オン状態で前記２つの誘導性負荷をそれぞれ通電させる２つのスイッチング素子と、
前記２つのスイッチング素子にそれぞれパルス幅変調信号を出力し、該２つのスイッチング素子のオンオフをそれぞれ制御する制御装置とを備えた誘導性負荷駆動装置であって、  
前記パルス幅変調信号は、一方のスイッチング素子に出力されるパルス幅変調信号の１パルスの立ち上がり終了時点で他方のスイッチング素子に出力されるパルス幅変調信号の１パルスの立ち上がりが開始するとともに、前記一方のスイッチング素子に出力されるパルス幅変調信号の前記１パルスの立ち下がり開始時点で前記他方のスイッチング素子に出力されるパルス幅変調信号の前記１パルスの立ち下りが終了することを特徴とする誘導性負荷駆動装置。
【請求項４】
電源に接続された２つの誘導性負荷と、
前記２つの誘導性負荷にそれぞれ直列に接続されるとともに、外部から受け取ったパルス幅変調信号によりオンオフが制御され、オン状態で前記２つの誘導性負荷をそれぞれ通電させる２つのスイッチング素子と、
前記２つのスイッチング素子にそれぞれパルス幅変調信号を出力し、該２つのスイッチング素子のオンオフをそれぞれ制御する制御装置とを備えた誘導性負荷駆動装置であって、  
一方のスイッチング素子に出力されるパルス幅変調信号と他方のスイッチング素子に出力されるパルス幅変調信号とが所定の位相差および所定のデューティ比の差を備えるとともに、該所定の位相差および該所定のデューティ比の差が所定の算式を満足する関係にあることを特徴とする誘導性負荷駆動装置。
【請求項５】
前記算式は、ｍおよびｎを正の整数とし、前記位相差＝１．８×（ｍ／ｎ）×前記デューティ比の差で表わされることを特徴とする請求項４に記載の誘導性負荷駆動装置。
【発明の詳細な説明】
【技術分野】
【０００１】
本発明は、誘導性負荷駆動装置に関するものである。
【背景技術】
【０００２】
一般に、パルス幅変調（ＰＷＭ）信号によってモータ等の誘導性負荷を複数個同時に駆動する場合に発生するノイズの低減方法については、様々なものが提案されている。例えば、２つのＭＯＳＦＥＴにより２つのモータを駆動する場合において、各ＭＯＳＦＥＴに入力するＰＷＭ駆動信号の位相をずらし、一方のパルスの立ち上がり終了タイモングが他方のパルスの立ち下がり開始タイミングと一致するように位相を設定し、２つのＭＯＳＦＥＴが同時にスイッチングされることを回避することで、スイッチングノイズの低減を図る提案がされている（特許文献１）。
【特許文献１】特開平１０−２２２２号公報
【発明の開示】
【発明が解決しようとする課題】
【０００３】
しかしながら、このような誘導性負荷駆動装置では、ＭＯＳＦＥＴのスイッチングノイズの低減が図れる一方、２つのＰＷＭ駆動信号の変化点で発生する高調波ノイズを十分に低減できない、という問題点がある。すなわち、２つのＰＷＭ駆動信号をＰＷＭ駆動信号Ａ、ＰＷＭ駆動信号Ｂとして、両信号の１周期分の経時変化を見た場合、図１４に示すように、ＰＷＭ駆動信号Ａの立ち上がり開始点→ＰＷＭ駆動信号Ａの立ち上がり終了点（＝ＰＷＭ駆動信号Ｂの立ち下がり開始点）→ＰＷＭ駆動信号Ｂの立ち下がり終了点→ＰＷＭ駆動信号Ａの立ち下がり開始点→ＰＷＭ駆動信号Ａの立ち下がり終了点→ＰＷＭ駆動信号Ｂの立ち上がり開始点→ＰＷＭ駆動信号Ａの立ち上がり終了点、と７つの変化点が存在し、それぞれの変化点で高調波ノイズが発生するため、全体としてはさらに周波数成分が増えたノイズとなってしまう。
【０００４】
本発明の課題は、複数の誘導性負荷をＰＷＭ駆動信号により同時に駆動する場合に、ＰＷＭ駆動信号により発生するノイズを低減した誘導性負荷駆動装置を提供することにある。
【課題を解決するための手段】
【０００５】
上記課題を解決するために、請求項１に記載の発明は、  電源に接続された２つの誘導性負荷と、前記２つの誘導性負荷にそれぞれ直列に接続されるとともに、外部から受け取ったパルス幅変調信号によりオンオフが制御され、オン状態で前記２つの誘導性負荷をそれぞれ通電させる２つのスイッチング素子と、前記２つのスイッチング素子にそれぞれパルス幅変調信号を出力し、該２つのスイッチング素子のオンオフをそれぞれ制御する制御装置とを備えた誘導性負荷駆動装置であって、前記パルス幅変調信号は、一方のスイッチング素子に出力されるパルス幅変調信号の１パルスの立ち上がり終了時点と立ち下り開始時点との間で他方のスイッチング素子に出力されるパルス幅変調信号の１パルスの立ち上がりが開始するとともに、前記一方のスイッチング素子に出力されるパルス幅変調信号の前記１パルスの立ち下り開始時点から立ち下り終了時点までの時間と前記他方のスイッチング素子に出力されるパルス幅変調信号の前記１パルスの立ち下り開始時点から立ち下り終了時点までの時間が重ならないことを特徴としている。
【０００６】
上記構成によれば、２つのパルス幅変調信号のパルスの変化区間が重ならないように２つのスイッチング素子を時間的にずらしてスイッチングするため、スイッチングが重なることに起因するノイズの発生の増加を抑制することができる。
【０００７】
また請求項２の発明は、電源に接続された２つの誘導性負荷と、前記２つの誘導性負荷にそれぞれ直列に接続されるとともに、外部から受け取ったパルス幅変調信号によりオンオフが制御され、オン状態で前記２つの誘導性負荷をそれぞれ通電させる２つのスイッチング素子と、前記２つのスイッチング素子にそれぞれパルス幅変調信号を出力し、該２つのスイッチング素子のオンオフをそれぞれ制御する制御装置とを備えた誘導性負荷駆動装置であって、  前記パルス幅変調信号は、一方のスイッチング素子に出力されるパルス幅変調信号の１パルスの立ち上がり終了時点で他方のスイッチング素子に出力されるパルス幅変調信号の１パルスの立ち上がりが開始するとともに、前記一方のスイッチング素子に出力されるパルス幅変調信号の前記１パルスの立ち下がり終了時点で前記他方のスイッチング素子に出力されるパルス幅変調信号の前記１パルスの立ち下がりが開始することを特徴としている。
【０００８】
上記構成によれば、２つのパルス幅変調信号のパルスの変化区間が重ならないように２つのスイッチング素子を時間的にずらしてスイッチングするため、スイッチングが重なることに起因するノイズの発生の増加を抑制することができる。
【０００９】
またパルスの変化点の一部が同じタイミングとなるように２つのパルス幅変調信号のパルスを発生させているため、パルスの変化点で発生する高調波ノイズを低減することができる。
【００１０】
また請求項３の発明は、電源に接続された２つの誘導性負荷と、前記２つの誘導性負荷にそれぞれ直列に接続されるとともに、外部から受け取ったパルス幅変調信号によりオンオフが制御され、オン状態で前記２つの誘導性負荷をそれぞれ通電させる２つのスイッチング素子と、前記２つのスイッチング素子にそれぞれパルス幅変調信号を出力し、該２つのスイッチング素子のオンオフをそれぞれ制御する制御装置とを備えた誘導性負荷駆動装置であって、  前記パルス幅変調信号は、一方のスイッチング素子に出力されるパルス幅変調信号の１パルスの立ち上がり終了時点で他方のスイッチング素子に出力されるパルス幅変調信号の１パルスの立ち上がりが開始するとともに、前記一方のスイッチング素子に出力されるパルス幅変調信号の前記１パルスの立ち下がり開始時点で前記他方のスイッチング素子に出力されるパルス幅変調信号の前記１パルスの立ち下りが終了することを特徴としている。
【００１１】
上記構成によれば、２つのパルス幅変調信号のパルスの変化区間が重ならないように２つのスイッチング素子を時間的にずらしてスイッチングするため、スイッチングが重なることに起因するノイズの発生の増加を抑制することができる。
【００１２】
またパルスの変化点の一部が同じタイミングとなるように２つのパルス幅変調信号のパルスを発生させているため、パルスの変化点で発生する高調波ノイズを低減することができる。
【００１３】
また請求項４の発明は、電源に接続された２つの誘導性負荷と、前記２つの誘導性負荷にそれぞれ直列に接続されるとともに、外部から受け取ったパルス幅変調信号によりオンオフが制御され、オン状態で前記２つの誘導性負荷をそれぞれ通電させる２つのスイッチング素子と、前記２つのスイッチング素子にそれぞれパルス幅変調信号を出力し、該２つのスイッチング素子のオンオフをそれぞれ制御する制御装置とを備えた誘導性負荷駆動装置であって、一方のスイッチング素子に出力されるパルス幅変調信号と他方のスイッチング素子に出力されるパルス幅変調信号とが所定の位相差および所定のデューティ比の差を備えるとともに、該所定の位相差および該所定のデューティ比の差が所定の算式を満足する関係にあることを特徴としている。
【００１４】
また請求項５の発明によれば、請求項４において、前記算式は、ｍおよびｎを正の整数とし、前記位相差＝１．８×（ｍ／ｎ）×前記デューティ比の差で表わされることを特徴としている。
【００１５】
上記構成によれば、２つのパルス幅変調信号のパルスの変化区間が重ならないように２つのスイッチング素子を時間的にずらしてスイッチングするため、スイッチングが重なることに起因するノイズの発生の増加を抑制することができる。
【００１６】
また２つのパルス幅変調信号の合成高調波が最小となるように２つのパルス幅変調信号の位相差およびデューティ比を設けているため、合成高調波によるノイズを抑制することができる。
【発明の効果】
【００１７】
本発明によれば、複数の誘導性負荷をＰＷＭ駆動信号により同時に駆動する場合に、ＰＷＭ駆動信号により発生するノイズを低減した誘導性負荷駆動装置を実現することができる。
【発明を実施するための最良の形態】
【００１８】
以下、本発明の実施例を図面に従って説明する。
【実施例１】
【００１９】
図１は、本発明の第１の実施例のブロック図である。
【００２０】
電源２１の電圧は、変圧器１８により所定の電圧ＶＣＣ１９に変換される。
【００２１】
ＶＣＣ１９とグランドの間には、モータ２０ＡとＭＯＳＦＥＴ１５Ａの直列回路と、モータ２０ＢとＭＯＳＦＥＴ１５Ｂの直列回路が並列接続されている。ＭＯＳＦＥＴ１５Ａと１５Ｂのドレインは、順方向のダイオード１６Ａ、１６Ｂをそれぞれ介してＶＣＣ１９に接続されている。
【００２２】
ダイオード１６Ａ、１６Ｂにはノイズ除去用のコンデンサ１７Ａ、１７Ｂがそれぞれ並列に接続されている。
【００２３】
入力信号処理部１１は、図示しない他の装置からモータ２０Ａ、２０Ｂの制御信号を受けて、波形設定部１２にＰＷＭ信号を出力する。
【００２４】
波形設定部１２は、入力信号処理部１１から取り込んだＰＷＭ信号を元に、あらかじめ設定されたデューティ比および位相差の関係を備えた２種類のＰＷＭ駆動信号であるＰＷＭ駆動信号ＡおよびＰＷＭ駆動信号Ｂを生成し、駆動部１３Ａ、１３Ｂに出力する。
【００２５】
波形設定部１２で生成されたＰＷＭ駆動信号ＡおよびＰＷＭ駆動信号Ａは、それぞれ駆動部１３Ａ、１３Ｂによって増幅された後に抵抗１４Ａおよび１４Ｂによってパルス形状が整形された後に、ＭＯＳＦＥＴ１５Ａ、１５Ｂのゲートに出力される。
【００２６】
ここで、上記のモータ２０Ａ、２０Ｂが請求項の誘導性負荷にあたる。また上記のＭＯＳＦＥＴ１５Ａ、１５Ｂが請求項のスイッチング素子にあたる。さらに上記の入力信号処理部１１、波形設定部１２、駆動部１３Ａ、１３Ｂ、抵抗１４Ａ、１４Ｂを備えた制御装置３０が請求項の制御装置にあたる。
【００２７】
次に、本発明の第１の実施例の動作について説明する。
【００２８】
本実施例では、２つのＰＷＭ駆動信号の位相をずらすことで２つのＰＷＭ駆動信号のパルスの変化点の一部を揃え、全体としてのパルスの変化点の数を減らして、パルスの変化点で発生する高調波ノイズを低減するものである。
【００２９】
本実施例では、制御装置３０が出力するＰＷＭ駆動信号ＡおよびＰＷＭ駆動信号Ｂは図２に示すような関係で生成される。
【００３０】
すなわち、ＰＷＭ駆動信号Ａの立ち上がり終了時点でＰＷＭ駆動信号Ｂの立ち上がりが開始し、またＰＷＭ駆動信号Ａの立ち下がり終了時点でＰＷＭ駆動信号Ｂの立ち下がりが開始する。このようにＰＷＭ駆動信号ＡとＰＷＭ駆動信号Ｂのパルスの変化点の一部を揃えることで、全体としてのパルスの変化点の数を減らし、パルスの変化点で発生する高調波ノイズを低減する。
【００３１】
この関係は、ＰＷＭ駆動信号Ｂの位相を所定量（図２ではα）ずらすことで実現でき、デューティ比の値には左右されない。
【００３２】
図１５〜図１７に、特許文献１に記載の内容で生成したＰＷＭ駆動信号ＡおよびＰＷＭ駆動信号Ｂによる高調波ノイズのシミュレーション結果例を示す。また図３〜図５に、本実施例の内容で生成したＰＷＭ駆動信号ＡおよびＰＷＭ駆動信号Ｂによる高調波ノイズのシミュレーション結果例を示す。
【００３３】
図３と図１５はデューティ比を５０％とした場合の結果を、図４と図１６はデューティ比を７０％とした場合の結果を、図５と図１７はデューティ比を９０％とした場合の結果を表している。
【００３４】
図３と図１５を比較して明らかなように、特許文献１の方法に比べ、本実施例におけるノイズの周波数分布は、ＡＭラジオ帯域である約５００ｋＨｚ〜１０００ｋＨｚの間で低減されていることが確認できる。
【００３５】
また図４と図１６を比較して明らかなように、特許文献１の方法に比べ、本実施例におけるノイズの周波数分布は、ＡＭラジオ帯域である約５００ｋＨｚ〜１０００ｋＨｚの間で低減されていることが確認できる。
【００３６】
また図５と図１７を比較して明らかなように、特許文献１の方法に比べ、本実施例におけるノイズの周波数分布は、ＡＭラジオ帯域である約５００ｋＨｚ〜１０００ｋＨｚの間で低減されていることが確認できる。
【００３７】
以上の動作により、２つのパルス幅変調信号のパルスの変化区間が重ならないように２つのスイッチング素子を時間的にずらしてスイッチングするため、スイッチングが重なることに起因するノイズの発生の増加を抑制することができる。
【００３８】
また全体としてのパルスの変化点の数を減らしているため、従来技術に比較して高調波ノイズ、特にＡＭラジオ帯域の約５００ｋＨｚ〜１０００ｋＨｚの周波数を有する高調波ノイズを低減することができる。
【実施例２】
【００３９】
次に、本発明の第２の実施例の動作について説明する。
【００４０】
本実施例では、２つのＰＷＭ駆動信号のデューティ比を変えて２つのＰＷＭ駆動信号のパルスの変化点の一部を揃え、全体としてのパルスの変化点の数を減らして、パルスの変化点で発生する高調波ノイズを低減するものである。
【００４１】
本実施例では、制御装置３０が出力するＰＷＭ駆動信号ＡおよびＰＷＭ駆動信号Ｂは図６に示すような関係で生成される。
【００４２】
すなわち、ＰＷＭ駆動信号Ａの立ち上がり終了時点でＰＷＭ駆動信号Ｂが立ち上がり、またＰＷＭ駆動信号Ａの立ち下がり開始時点でＰＷＭ駆動信号Ｂの立ち下がりが終了する。このようにＰＷＭ駆動信号ＡとＰＷＭ駆動信号Ｂのパルスの変化点の一部を揃えることで、全体としてのパルスの変化点の数を減らし、パルスの変化点で発生する高調波ノイズを低減する。
【００４３】
この関係は、ＰＷＭ駆動信号Ｂのデューティ比を変えることで実現でき、ＰＷＭ駆動信号ＡとＰＷＭ駆動信号Ｂとの間に位相差を設定する必要はない。
【００４４】
図１５〜図１７に、特許文献１に記載の内容で生成したＰＷＭ駆動信号ＡおよびＰＷＭ駆動信号Ｂによる高調波ノイズのシミュレーション結果例を示す。また図７〜図９に、本実施例の内容で生成したＰＷＭ駆動信号ＡおよびＰＷＭ駆動信号Ｂによる高調波ノイズのシミュレーション結果例を示す。
【００４５】
図７はＰＷＭ駆動信号ＡおよびＰＷＭ駆動信号Ｂのデューティ比をそれぞれ５０％および５３．５％とした場合の結果を、図８はデューティ比をそれぞれ７０％および７３．５％とした場合の結果を、図９はデューティ比をそれぞれ９０％および９３．５％とした場合の結果を表している。
【００４６】
図７と図１５を比較して明らかなように、特許文献１の方法に比べ、本実施例におけるノイズの周波数分布は、ＡＭラジオ帯域である約５００ｋＨｚ〜１０００ｋＨｚの間で低減されていることが確認できる。
【００４７】
また図８と図１６を比較して明らかなように、特許文献１の方法に比べ、本実施例におけるノイズの周波数分布は、ＡＭラジオ帯域である約５００ｋＨｚ〜１０００ｋＨｚの間で低減されていることが確認できる。
【００４８】
また図９と図１７を比較して明らかなように、特許文献１の方法に比べ、本実施例におけるノイズの周波数分布は、ＡＭラジオ帯域である約５００ｋＨｚ〜１０００ｋＨｚの間で低減されていることが確認できる。
【００４９】
以上の動作により、２つのパルス幅変調信号のパルスの変化区間が重ならないように２つのスイッチング素子を時間的にずらしてスイッチングするため、スイッチングが重なることに起因するノイズの発生の増加を抑制することができる。
【００５０】
また全体としてのパルスの変化点の数を減らしているため、従来技術に比較して高調波ノイズ、特にＡＭラジオ帯域の約５００ｋＨｚ〜１０００ｋＨｚの周波数を有する高調波ノイズを低減することができる。
【実施例３】
【００５１】
次に、本発明の第３の実施例の動作について説明する。
【００５２】
本実施例では、２つのＰＷＭ駆動信号の位相およびデューティ比を変えることで、高調波ノイズを低減するものである。
【００５３】
２つのＰＷＭ駆動信号の周波数をｆ、位相差をΦとすると、２つのＰＷＭ駆動信号のそれぞれの高調波を合成した合成高調波がゼロとなる周波数Ｆ０（Φ）は、下記の式で表すことができる。
（式１）・・・Ｆ０（Φ）＝ｎ×（１８０°×ｆ）／Φ  （ｎは１以上の整数で奇数）
また、合成高調波が大きくなる周波数ＦＰ（Φ）は、下記の式で表すことができる。
（式２）・・・ＦＰ（Φ）＝ｍ×（１８０°×ｆ）／Φ  （ｍは２以上の整数で偶数）
一方、２つのＰＷＭ駆動信号の周波数をｆ、デューティ比の差をＤとすると、２つのＰＷＭ駆動信号のそれぞれの高調波を合成した合成高調波がゼロとなる周波数Ｆ０（Ｄ）は、下記の式で表すことができる。
（式３）・・・Ｆ０（Ｄ）＝ｎ×（１００％×ｆ）／Ｄ  （ｎは１以上の整数で奇数）
また、合成高調波が大きくなる周波数ＦＰは、下記の式で表すことができる。
（式４）・・・ＦＰ（Ｄ）＝ｍ×（１００％×ｆ）／Ｄ  （ｍは２以上の整数で偶数）
ここで、位相およびデューティ比の双方を調整して高調波ノイズを低減させることを考えると、（式１）＝（式４）、または（式２）＝（式３）となる条件が満たすことができれば、合成高調波成分を効率的に相殺することができる。
【００５４】
（式２）＝（式３）の関係より、次式が導かれる。
（式５）・・・Φ＝１．８×（ｍ／ｎ）×Ｄ
図１０に上記の関係を備えたＰＷＭ駆動信号ＡおよびＰＷＭ駆動信号Ｂを示す。
【００５５】
図１５〜図１７に、特許文献１に記載の内容で生成したＰＷＭ駆動信号ＡおよびＰＷＭ駆動信号Ｂによる高調波ノイズのシミュレーション結果例を示す。また図１１〜図１３に、本実施例の内容で生成したＰＷＭ駆動信号ＡおよびＰＷＭ駆動信号Ｂによる高調波ノイズのシミュレーション結果例を示す。
【００５６】
ここで、（式５）においてＤ＝２．５、ｍ／ｎ＝４とし、Φ≒２０と設定している。
【００５７】
図１１はＰＷＭ駆動信号ＡおよびＰＷＭ駆動信号Ｂのデューティ比をそれぞれ５０％および５２．５％とするとともに位相差を２０度とした場合の結果を、図１２はデューティ比をそれぞれ７０％および７２．５％とするとともに位相差を２０度とした場合の結果を、図１３はデューティ比をそれぞれ９０％および９２．５％とするとともに位相差を２０度とした場合の結果を表している。
【００５８】
図１１と図１５を比較して明らかなように、特許文献１の方法に比べ、本実施例におけるノイズの周波数分布は、ＡＭラジオ帯域である約５００ｋＨｚ〜１０００ｋＨｚの間で低減されていることが確認できる。
【００５９】
また図１２と図１６を比較して明らかなように、特許文献１の方法に比べ、本実施例におけるノイズの周波数分布は、ＡＭラジオ帯域である約５００ｋＨｚ〜１０００ｋＨｚの間で低減されていることが確認できる。
【００６０】
また図１３と図１７を比較して明らかなように、特許文献１の方法に比べ、本実施例におけるノイズの周波数分布は、ＡＭラジオ帯域である約５００ｋＨｚ〜１０００ｋＨｚの間で低減されていることが確認できる。
【００６１】
以上の動作により、２つのパルス幅変調信号のパルスの変化区間が重ならないように２つのスイッチング素子を時間的にずらしてスイッチングするため、スイッチングが重なることに起因するノイズの発生の増加を抑制することができる。
【００６２】
また合成高調波が最も少なくなるように位相差Φおよびデューティ比の差Ｄを設定しているため、従来技術に比較して高調波ノイズ、特にＡＭラジオ帯域の約５００ｋＨｚ〜１０００ｋＨｚの周波数を有する高調波ノイズを低減することができる。
【００６３】
以上、本発明の実施例を図面により詳述したが、実施例は本発明の例示にしか過ぎず、本発明は実施例の構成にのみ限定されるものではない。したがって本発明の要旨を逸脱しない範囲の設計の変更等があっても本発明に含まれることはもちろんである。
【００６４】
例えば、第３の実施例において、ＰＷＭ駆動信号ＡとＰＷＭ駆動信号Ｂとの位相差およびデューティ比の差は、第３の実施例で示した値に限定されるものではなく、（式５）の関係を満足するものであれば良い。
【図面の簡単な説明】
【００６５】
【図１】本発明の第１の実施例のブロック図である。
【図２】本発明の第１の実施例のＰＷＭ駆動信号のタイミングチャートである。
【図３】本発明の第１の実施例におけるスイッチング素子駆動時の高調波ノイズのシミュレーション結果例である。
【図４】本発明の第１の実施例におけるスイッチング素子駆動時の他の高調波ノイズのシミュレーション結果例である。
【図５】本発明の第１の実施例におけるスイッチング素子駆動時の他の高調波ノイズのシミュレーション結果例である。
【図６】本発明の第２の実施例のＰＷＭ駆動信号のタイミングチャートである。
【図７】本発明の第２の実施例におけるスイッチング素子駆動時の高調波ノイズのシミュレーション結果例である。
【図８】本発明の第２の実施例におけるスイッチング素子駆動時の他の高調波ノイズのシミュレーション結果例である。
【図９】本発明の第２の実施例におけるスイッチング素子駆動時の他の高調波ノイズのシミュレーション結果例である。
【図１０】本発明の第３の実施例のＰＷＭ駆動信号のタイミングチャートである。
【図１１】本発明の第３の実施例におけるスイッチング素子駆動時の高調波ノイズのシミュレーション結果例である。
【図１２】本発明の第３の実施例におけるスイッチング素子駆動時の他の高調波ノイズのシミュレーション結果例である。
【図１３】本発明の第３の実施例におけるスイッチング素子駆動時の他の高調波ノイズのシミュレーション結果例である。
【図１４】従来技術のＰＷＭ駆動信号のタイミングチャートである。
【図１５】従来技術におけるスイッチング素子駆動時の高調波ノイズのシミュレーション結果例である。
【図１６】従来技術におけるスイッチング素子駆動時の他の高調波ノイズのシミュレーション結果例である。
【図１７】従来技術におけるスイッチング素子駆動時の他の高調波ノイズのシミュレーション結果例である。
【符号の説明】
【００６６】
１０  誘導性負荷駆動装置
１１  入力信号処理部
１２  波形設定部
１３Ａ、１３Ｂ  駆動部
１４Ａ、１４Ｂ  抵抗
１５Ａ、１５Ｂ  ＭＯＳＦＥＴ
１６Ａ、１６Ｂ  ダイオード
１７Ａ、１７Ｂ  コンデンサ
１８  変圧器
１９  ＶＣＣ
２０Ａ、２０Ｂ  モータ
２１  電源
３０  制御装置
【図１】
2006303992.tif 000003
【図２】
2006303992.tif 000004
【図３】
2006303992.tif 000005
【図４】
2006303992.tif 000006
【図５】
2006303992.tif 000007
【図６】
2006303992.tif 000008
【図７】
2006303992.tif 000009
【図８】
2006303992.tif 000010
【図９】
2006303992.tif 000011
【図１０】
2006303992.tif 000012
【図１１】
2006303992.tif 000013
【図１２】
2006303992.tif 000014
【図１３】
2006303992.tif 000015
【図１４】
2006303992.tif 000016
【図１５】
2006303992.tif 000017
【図１６】
2006303992.tif 000018
【図１７】
2006303992.tif 000019